(57)【要約】【課題】商品を購入した消費者に対して情報を提供することができるようにする。【解決手段】レジスター２００は、消費者が購入した商品に印刷されているバーコード５００によって表されるバーコード情報を読み取り、インターネット６００を介してホストコンピュータ１００に送信する。ホストコンピュータ１００は、バーコード情報に対応するアクセス情報をアクセス情報ＤＢ１１１から検索してレジスター２００に送信する。レジスター２００は、このアクセス情報を商品に添付されたＩＣタグ４００に記録する。利用者端末３００は、ＩＣタグ４００から読み出したアクセス情報に基づいてインターネット６００を介してホストコンピュータ１００にアクセスすると、ホストコンピュータ１００は提供情報ＤＢ１１２からアクセス情報に対応する提供情報を検索し、利用者端末３００に提供する。【選択図】図１
2006285550.tif 000002
【特許請求の範囲】
【請求項１】
所定の販売店に設置され、ユーザが購入した商品に添付された非接触型情報記録媒体に所定のアクセス情報を記録するレジスターと、前記商品に添付された前記非接触型情報記録媒体に記録された前記アクセス情報に基づいてネットワークに接続されたホストコンピュータに情報の提供を要求する端末と、前記端末に前記ネットワーク経由で前記情報を提供する前記ホストコンピュータとからなる情報提供システムであって、
前記レジスターは、
前記情報を提供する前記ホストコンピュータにアクセスするための前記アクセス情報を前記商品に添付された前記非接触型情報記録媒体に書き込む書込手段を備え、
前記端末は、
前記非接触型情報記録媒体に書き込まれた前記アクセス情報を読み取る読取手段と、
前記読取手段によって読み取られた前記アクセス情報に基づいて、前記情報の提供を前記ホストコンピュータに前記ネットワークを介して要求する要求手段と、
前記ホストコンピュータから前記ネットワークを介して提供された前記情報を受信する受信手段と、
前記受信手段によって受信された前記情報を出力する出力手段とを備え、
前記ホストコンピュータは、
前記端末に提供する前記情報を記憶する記憶手段と、
前記端末からの要求に応じて前記情報を前記記憶手段から読み出し、読み出した前記情報を前記ネットワークを介して前記端末に提供する提供手段とを備える
ことを特徴とする情報提供システム。
【請求項２】
所定の販売店に設置され、ユーザが購入した商品に添付された非接触型情報記録媒体に記録された所定のアクセス情報に対するプロテクトを解除するレジスターと、前記商品に添付された前記非接触型情報記録媒体に記録された前記アクセス情報に基づいてネットワークに接続されたホストコンピュータに情報の提供を要求する端末と、前記端末に前記ネットワーク経由で前記情報を提供する前記ホストコンピュータとからなる情報提供システムであって、
前記レジスターは、
前記商品に添付された前記非接触型情報記録媒体に記録された、前記情報を提供する前記ホストコンピュータにアクセスするための前記アクセス情報に対するプロテクトを解除する解除手段を備え、
前記端末は、
前記レジスターによってプロテクトが解除された前記アクセス情報を前記非接触型情報記録媒体から読み取る読取手段と、
前記読取手段によって読み取られた前記アクセス情報に基づいて、前記情報の提供を前記ホストコンピュータに前記ネットワークを介して要求する要求手段と、
前記ホストコンピュータから前記ネットワークを介して提供された前記情報を受信する受信手段と、
前記受信手段によって受信された前記情報を出力する出力手段とを備え、
前記ホストコンピュータは、
前記情報を記憶する記憶手段と、
前記端末からの要求に応じて前記情報を前記記憶手段から読み出し、読み出した前記情報を前記ネットワークを介して前記端末に提供する提供手段とを備える
ことを特徴とする情報提供システム。
【請求項３】
前記端末はユーザが所持する携帯端末である
ことを特徴とする請求項１または２に記載の情報提供システム。
【請求項４】
前記端末は前記販売店に設置された店内端末であり、前記情報を前記商品に貼付された前記非接触型情報記録媒体に記録する記録手段をさらに備え、
前記非接触型記録媒体に記録された前記情報が所定の携帯端末によって読み取られる
ことを特徴とする請求項１または２に記載の情報提供システム。
【発明の詳細な説明】
【技術分野】
【０００１】
本発明は情報提供システムに関し、特に、商品購入者に対して情報を提供する情報提供システムに関する。
【背景技術】
【０００２】
近年、音楽、映像、ソフトウェア等のデジタルデータを再生して楽しむことができるパーソナルコンピュータ（パソコン）や、携帯電話機等の情報端末が急速に普及してきている。そして、音楽や映像等のデジタルデータやソフトウェアは、消費者が自分の所有するパソコンや携帯電話機等の情報端末にダウンロードすることによって利用することが可能となっている。
【０００３】
従来、このような音楽、映像、ソフトウェア等のデジタルデータは、消費者が小売店でパッケージに梱包されたＣＤ−ＲＯＭ（Compact Disc Read Only Memory）や、ＤＶＤ（Digital Versatile Disc）−ＲＯＭを購入することにより入手したり、雑誌等の付録として入手したり、あるいはデモ版などとして書店、電気店、駅構内等で無料配布されているものを入手したりしていた。
【０００４】
一方、特許文献１の発明には、識別情報が文字列等によって記録されたラベルが添付された商品を販売し、インターネットを利用して懸賞の応募を容易にする技術が記載されている。
【特許文献１】特開２００２−２９７９９１号公報
【発明の開示】
【発明が解決しようとする課題】
【０００５】
しかしながら、背景技術では、デジタルデータをＣＤ−ＲＯＭ、ＤＶＤ−ＲＯＭ等に書き込んで消費者に提供するため、ＣＤ−ＲＯＭやＤＶＤ−ＲＯＭへのデジタルデータの書き込み、流通、宣伝、販売促進等に手間と費用がかかるという問題があった。
【０００６】
また、一旦デジタルデータが書き込まれたＣＤ−ＲＯＭやＤＶＤ−ＲＯＭ等をパッケージに梱包すると、デジタルデータの内容に不都合が生じた場合（例えば、発売禁止や不具合の発生等）、内容の変更が不可能であるため、パッケージを回収し交換する等の手間と費用が必要となるという問題があった。
【０００７】
本発明はこのような状況に鑑みてなされたものであり、商品に添付されたＩＣタグを用いて商品を購入した消費者に対して有益な情報を提供することができるようにするものである。
【課題を解決するための手段】
【０００８】
請求項１に記載の情報提供システムは、所定の販売店に設置され、ユーザが購入した商品に添付された非接触型情報記録媒体に所定のアクセス情報を記録するレジスターと、商品に添付された非接触型情報記録媒体に記録されたアクセス情報に基づいてネットワークに接続されたホストコンピュータに情報の提供を要求する端末と、端末にネットワーク経由で情報を提供するホストコンピュータとからなる情報提供システムであって、レジスターは、情報を提供するホストコンピュータにアクセスするためのアクセス情報を商品に添付された非接触型情報記録媒体に書き込む書込手段を備え、端末は、非接触型情報記録媒体に書き込まれたアクセス情報を読み取る読取手段と、読取手段によって読み取られたアクセス情報に基づいて、情報の提供をホストコンピュータにネットワークを介して要求する要求手段と、ホストコンピュータからネットワークを介して提供された情報を受信する受信手段と、受信手段によって受信された情報を出力する出力手段とを備え、ホストコンピュータは、端末に提供する情報を記憶する記憶手段と、端末からの要求に応じて情報を記憶手段から読み出し、読み出した情報をネットワークを介して端末に提供する提供手段とを備えることを特徴とする。
請求項２に記載の情報提供システムは、所定の販売店に設置され、ユーザが購入した商品に添付された非接触型情報記録媒体に記録された所定のアクセス情報に対するプロテクトを解除するレジスターと、商品に添付された非接触型情報記録媒体に記録されたアクセス情報に基づいてネットワークに接続されたホストコンピュータに情報の提供を要求する端末と、端末にネットワーク経由で情報を提供するホストコンピュータとからなる情報提供システムであって、レジスターは、商品に添付された非接触型情報記録媒体に記録された、情報を提供するホストコンピュータにアクセスするためのアクセス情報に対するプロテクトを解除する解除手段を備え、端末は、レジスターによってプロテクトが解除されたアクセス情報を非接触型情報記録媒体から読み取る読取手段と、読取手段によって読み取られたアクセス情報に基づいて、情報の提供をホストコンピュータにネットワークを介して要求する要求手段と、ホストコンピュータからネットワークを介して提供された情報を受信する受信手段と、受信手段によって受信された情報を出力する出力手段とを備え、ホストコンピュータは、情報を記憶する記憶手段と、端末からの要求に応じて情報を記憶手段から読み出し、読み出した情報をネットワークを介して端末に提供する提供手段とを備えることを特徴とする。
また、端末はユーザが所持する携帯端末とすることができる。
また、端末は販売店に設置された店内端末であり、情報を商品に貼付された非接触型情報記録媒体に記録する記録手段をさらに備え、非接触型記録媒体に記録された情報が所定の携帯端末によって読み取られるようにすることができる。
【発明の効果】
【０００９】
本発明の情報提供システムによれば、消費者が購入した商品に添付されているＩＣタグを用いて、利用者に対して様々な情報を提供することができるようにしたので、安価に商品の販売促進を行うことができ、その商品に対する購買意欲を高めることができる。
【発明を実施するための最良の形態】
【００１０】
図１は、本発明の情報提供システムの一実施の形態の構成例を示すブロック図である。同図に示すように、本実施の形態は、ホストコンピュータ１００と、レジスター２００と、利用者端末３００とからなり、それぞれインターネット６００を介して接続され、各種データの送受信を行うことができるようになっている。
【００１１】
ホストコンピュータ１００は、記憶装置１１０、各部を制御する図示しない制御部、インターネット６００を介した通信を制御する図示しない通信制御部、各種データやコマンドを入力する入力部、および各種データを表示する表示部等により構成されている。
【００１２】
また、ホストコンピュータ１００は、インターネット６００を介してレジスター２００から送信されてきたバーコード情報を受け取り、そのバーコード情報に対応するアクセス情報をレジスター２００に提供するようになっている。さらに、ホストコンピュータ１００は、利用者端末３００から送信されてきたアクセス情報に対応する所定の提供情報（利用者に提供される情報）を利用者端末３００に提供するようにもなっている。
【００１３】
レジスター２００は、商品に印刷されたバーコード５００によって表されるバーコード情報を読み取り、読み取ったバーコード情報をインターネット６００を介してホストコンピュータ１００に送信するようになっている。
【００１４】
また、レジスター２００は、ホストコンピュータ１００に送信したバーコード情報に対応するアクセス情報を、インターネット６００を介してホストコンピュータ１００より受け取るようになっている。そして、ホストコンピュータ１００より提供されたアクセス情報をＩＣタグ４００を構成する図示しないＩＣチップに記憶させるようになっている。
【００１５】
ＩＣタグ４００は、各部を制御するとともに、無線通信を制御する制御部と、各種情報を記憶するメモリ等からなる図示しないＩＣチップと、無線通信用の図示しないアンテナを有している。また、ＩＣタグ４００は、ＩＣチップに対してデータの読み書きを行うレジスター２００等のリーダ／ライタとの間の無線通信を通じて必要な電力を得るようになっている。電力を得る方法としては、例えば、電磁誘導方式、電波方式等がある。ＩＣタグ４００は、「無線ＩＣタグ」、「無線タグ」、「ＲＦＩＤ（Ｒａｄｉｏ  Ｆｒｅｑｕｅｎｃｙ  ＩＤ）タグ」、「ＲＦタグ」と呼ばれることもある。
【００１６】
利用者端末３００は、商品に添付されたＩＣタグ４００からアクセス情報を読み取りことができるようになっており、読み取ったアクセス情報によって示されるＵＲＬ（Uniform Resource Locator）等にインターネット６００を介してアクセスし、その商品に対応する販売促進等のための提供情報を得ることができるようになっている。
【００１７】
図２は、レジスター２００の構成例を示すブロック図である。同図に示すように、レジスター２００は、各部を制御する制御部２１０と、各種データやコマンドを入力するための入力部２１１と、各種データを表示する表示部２１２と、各種データを記憶する記憶部２１３と、商品に印刷されたバーコードによって表されるバーコード情報を読み取るバーコード読取部２１４と、ＩＣタグ（ＲＦＩＤタグ）４００の図示しないＩＣチップに対してデータの読み取りおよび書き込みを行うＲＦＩＤリードライト部２１５と、インターネット６００を介した通信を制御する通信制御部２１６と、レシート等を印字発行する印字部２１７等から構成されている。
【００１８】
図３は、利用者端末３００の構成例を示すブロック図である。同図に示すように、利用者端末３００は、各部を制御する制御部３１０と、各種データやコマンドを入力するための操作部３１１と、各種データを表示する表示部３１２と、各種データを記憶する記憶部３１３と、ＩＣタグ４００のＩＣチップに記憶された情報を読み取るＲＦＩＤリード部３１４と、インターネット６００を介した通信を制御する通信制御部３１５等から構成されている。
【００１９】
図４は、ホストコンピュータ１００の記憶装置１１０に記憶されているアクセス情報データベース（ＤＢ）１１１の構成例を示している。アクセス情報ＤＢ１１１には、商品に印刷されたバーコード情報と、商品名と、価格と、ＲＦＩＤタグの有無を示す情報（ＩＣタグ（ＲＦＩＤタグ）４００が商品に添付されているか否かを示す情報）と、アクセス情報（例えば、提供情報が格納されているＵＲＬ（Uniform Resource Locator）等の情報）とが、商品毎に互いに関連づけて記憶されている。
【００２０】
この例では、バーコード情報「４９□□□□□１２３１０４」、商品名「缶コーヒー」、価格「１５０」、ＲＦＩＤタグの有無「１」（「１」は、商品にＩＣタグ４００が添付されていることを表している）、アクセス情報「ＵＲＬ＃１」が互いに関連づけられて記憶されている。また、バーコード情報「４９□□□□□１２３２０４」、商品名「緑茶」、価格「１６０」、ＲＦＩＤタグの有無「０」（「０」は、商品にＩＣタグ４００が添付されていないことを表している）が互いに関連づけられて記憶されている。この場合、アクセス情報は記憶されていない。また、バーコード情報「４９□□□□□１２３３０４」、商品名「ビール」、価格「２３０」、ＲＦＩＤタグの有無「１」、アクセス情報「ＵＲＬ＃２」が互いに関連づけられて記憶されている。
【００２１】
次に、図５のフローチャートを参照して、ホストコンピュータ１００の処理手順について説明する。まず、ステップＳ１において、ホストコンピュータ１００の図示しない制御部により、インターネット６００を介してレジスター２００から送信されたバーコード情報が図示しない通信制御部を介して受信されたか否かが判定される。その結果、インターネット６００を介してレジスター２００から送信されたバーコード情報が通信制御部を介して受信されていないと判定された場合、ステップＳ１の処理が繰り返し実行される。
【００２２】
一方、インターネット６００を介してレジスター２００から送信されたバーコード情報が通信制御部を介して受信されたと判定された場合、ステップＳ２に進む。ステップＳ２においては、制御部により、インターネット６００を介してレジスター２００から送信されてきたバーコード情報に対応するアクセス情報がアクセス情報ＤＢ１１１から検索される。そして、上記バーコード情報に対応するアクセス情報がアクセス情報ＤＢ１１１より検索結果として取得される。
【００２３】
例えば、バーコード情報が、「４９□□□□□１２３１０４」である場合、図４に示したアクセス情報ＤＢ１１１より、商品名「缶コーヒー」、価格「１５０」、ＲＦＩＤタグの有無「１」（有り）、アクセス情報「ＵＲＬ＃１」が検索結果として得られる。
【００２４】
次に、ステップＳ３において、ホストコンピュータ１００の図示しない制御部は、図示しない通信制御部を制御して、いま取得したアクセス情報をインターネット６００を介してレジスター２００に送信する。
【００２５】
次に、ステップＳ４において、ホストコンピュータ１００の図示しない制御部により、利用者端末３００による上記アクセス情報によって表されたＵＲＬに対するアクセスがあったか否かが判定される。
【００２６】
その結果、利用者端末３００による上記アクセス情報によって表されたＵＲＬに対するアクセスがなかったと判定された場合、ステップＳ４の処理が繰り返し実行される。一方、利用者端末３００による上記アクセス情報によって表されたＵＲＬに対するアクセスがあったと判定された場合、ステップＳ５に進む。
【００２７】
ステップＳ５においては、制御部は通信制御部を制御して、利用者端末３００がアクセスしてきた上記ＵＲＬに格納されている提供情報を、インターネット６００を介して利用者端末に送信する。この提供情報は、レジスター２００より送信されてきたバーコード情報に対応するものである。
【００２８】
次に、図６のフローチャートを参照して、レジスター２００の処理手順について説明する。まず、ステップＳ１１において、バーコード読取部２１４は、制御部２１０の制御下、商品に印刷されたバーコードによって表されたバーコード情報を読み取り、制御部２１０に供給する。制御部２１０は、このバーコード情報に対応する商品の価格を示すデータを記憶部２１３より読み出して表示部２１２に供給する。これにより、表示部２１２には、バーコードが読み取られた商品の価格が表示される。
【００２９】
次に、ステップＳ１２において、制御部２１０は、通信制御部２１６を制御し、ステップＳ１においてバーコード読取部２１４より供給されたバーコード情報をインターネット６００を介してホストコンピュータ１００に送信する。
【００３０】
次に、ステップＳ１３において、制御部２１０は、ホストコンピュータ１００からインターネット６００を介して送信されてきたアクセス情報を受信する。このアクセス情報は、例えば、購入した商品に関連する提供情報が格納されているＵＲＬ等である。
【００３１】
次に、ステップＳ１４に進み、制御部２１０は、ＲＦＩＤリードライト部２１５に対して、ホストコンピュータ１００よりインターネット６００を介して送信されてきたアクセス情報を供給するとともに、このアクセス情報を商品に添付されているＩＣタグ４００の図示しないＩＣチップに書き込むよう指令する。
【００３２】
この指令を受けたＲＦＩＤリードライト部２１５は、制御部２１０より供給されたアクセス情報をＩＣタグ４００に送信する。ＩＣタグ４００を構成する図示しないＩＣチップは、ＲＦＩＤリードライト部２１５より送信されたアクセス情報をＩＣタグを構成する図示しないアンテナを介して受信すると、受信したアクセス情報をＩＣチップを構成する図示しないメモリに記憶させる。
【００３３】
次に、ステップＳ１５において、制御部２１０は、バーコード読取部２１４によって読み取られた商品のバーコード情報に基づいて、各商品の価格の合計金額を算出する。
【００３４】
次に、ステップＳ１６において、利用者が購入した全商品についてステップＳ１１乃至Ｓ１５の処理が終了したか否かが判定される。その結果、全ての商品について処理が終了していないと判定された場合、ステップＳ１１に戻り、ステップＳ１１以降の処理が繰り返し実行される。
【００３５】
一方、全ての商品について処理が終了したと判定された場合、ステップＳ１７に進む。ステップＳ１７においては、制御部２１０により、利用者が支払った金額（預かり金の金額）の入力と、その金額から商品の合計金額とを差し引いた残りの金額（釣り銭の金額）の算出等の精算処理が行われる。その際、制御部２１０は、必要に応じて預かり金の金額や釣り銭の金額を示すデータを表示部２１２に供給し、表示させる。
【００３６】
次に、ステップＳ１８において、制御部２１０は、店舗名、日付、時刻、各商品の商品名、価格、個数、合計金額、お預り金額、およびお釣りの金額等のデータを印字部２１７に供給し、これらのデータを印字したレシートを発行するよう指令する。店舗名を示すデータは記憶部２１３に予め記憶されており、制御部２１０は、記憶部２１３から読み出した店舗名を示すデータを印字部２１７に供給する。日付および時刻は、図示しないカレンダ回路から出力されるカレンダ情報から算出し、印字部２１７に供給する。各商品の商品名、価格は、記憶部２１３にバーコード情報に対応付けて予め記憶されており、制御部２１０は、商品のバーコードによって表されるバーコード情報に対応する商品名、価格を記憶部２１３から読み出し、印字部２１７に供給する。
【００３７】
制御部２１０からの指令を受けた印字部２１７は、店舗名、日付、時刻、各商品の商品名、価格、個数、合計金額、お預り金額、およびお釣りの金額等のデータを所定の用紙に印字し、レシートを発行する。
【００３８】
次に、ステップＳ１９において、制御部２１０により、レジスター２００の電源がオフされるなどして処理の終了が指示されたか否かが判定される。その結果、処理の終了が指示されていないと判定された場合、ステップＳ１１に戻り、ステップＳ１１以降の処理が繰り返し実行される。一方、処理の終了が指示されたと判定された場合、本処理を終了する。
【００３９】
図７は、本発明の情報提供システムの他の実施の形態の構成例を示すブロック図である。本実施の形態では、ホストコンピュータ１００の記憶装置１１０には、暗証番号ＤＢ１１３と提供情報ＤＢ１１２が構築されている。暗証番号ＤＢ１１３は、各バーコード情報と、各バーコード情報に対応する暗証番号を示すデータとから構成されている。提供情報ＤＢ１１２は、各バーコード情報と、各バーコード情報に対応する利用者に提供すべき情報とから構成されている。
【００４０】
レジスター２００は、商品に添付されたバーコードによって表されるバーコード情報を読み取り、読み取ったバーコード情報をインターネット６００を介してホストコンピュータ１００に送信する。
【００４１】
ホストコンピュータ１００は、レジスター２００からインターネット６００を介して送信されてきたバーコード情報を受信すると、このバーコード情報に対応する暗証番号を暗証番号ＤＢ１１３から検索し、検索結果として得られた暗証番号をインターネット６００を介してレジスター２００に送信する。
【００４２】
レジスター２００は、この暗所番号を商品に添付されたＩＣタグ４００に送信する。ＩＣタグ４００は、レジスター２００より送信された暗証番号を受信すると、この暗証番号に基づいて、図示しないＩＣチップのメモリに記憶されているアクセス情報に対するプロテクトを解除する。
【００４３】
以下、図８のフローチャートを参照して、ＩＣタグ４００の処理手順について説明する。まず、ステップＳ２１において、ＩＣタグ４００のＩＣチップにより、レジスター２００から暗証番号が送信されてきたか否かが判定される。
【００４４】
その結果、レジスター２００から暗証番号が送信されてきていないと判定された場合、ステップＳ２１の処理が繰り返し実行される。一方、レジスター２００から暗証番号が送信されてきたと判定された場合、ステップＳ２２に進む。
【００４５】
ステップＳ２２においては、ＩＣチップにより、レジスター２００から送信されてきた暗証番号が、ＩＣチップ内のメモリに予め記憶している暗証番号と比較され、両者が一致するか否か、即ち、レジスター２００から送信されてきた暗証番号が正しいか否かが判定される。
【００４６】
その結果、レジスター２００から送信されてきた暗証番号が正しくないと判定された場合、ステップＳ２１に戻り、ステップＳ２１以降の処理が繰り返し実行される。一方、レジスター２００から送信されてきた暗証番号が正しいと判定された場合、ステップＳ２３に進む。
【００４７】
ステップＳ２３においては、ＩＣチップは、メモリに予め記憶されているアクセス情報を送信することができないように予めそのアクセス情報に対して設定されているプロテクトを解除する。次に、ステップＳ２４において、利用者端末３００よりアクセス情報の読出要求があったか否かが判定される。
【００４８】
その結果、利用者端末３００よりアクセス情報の読出要求がなかったと判定された場合、ステップＳ２４の処理が繰り返し実行される。一方、利用者端末３００よりアクセス情報の読出要求があったと判定された場合、ステップＳ２５に進む。
【００４９】
ステップＳ２５においては、ＩＣタグ４００のＩＣチップは、予め記憶しているアクセス情報をアンテナを介して利用者端末３００に送信する。その後、ステップＳ２４に戻り、ステップＳ２４以降の処理が繰り返し実行される。
【００５０】
以上のようにして、ＩＣタグ４００は、レジスター２００から正しい暗証番号が供給されたとき、記憶しているアクセス情報に対するプロテクトを解除し、このアクセス情報を送信することができるようになる。
【００５１】
利用者は、プロテクトが解除されたＩＣタグ４００に記憶されているアクセス情報を利用者端末３００を用いて読み出し、このアクセス情報に基づいてホストコンピュータ１００に記憶されている提供情報を取得する。
【００５２】
図９は、本発明の情報提供システムのさらに他の実施の形態の構成例を示すブロック図である。同図に示すように、本実施の形態は、店内端末７００がＩＣタグ４００からアクセス情報を読み出し、このアクセス情報に基づいてホストコンピュータ１００から提供情報を取得する。
【００５３】
店内端末７００は、ホストコンピュータ１００から取得した提供情報を、ＩＣタグ４００のＩＣチップに書き込む。利用者は、ＩＣタグ４００に記憶されているデータを読み出す機能を有する携帯電話機８００等を用いてＩＣタグ４００に記憶されている提供情報を読み出し、携帯電話機８００の図示しないメモリに記憶させる。
【００５４】
利用者は、携帯電話機８００のメモリに記憶された提供情報が映像音声データである場合にはそのデータを再生し、表示部８１０に映像を表示させ、図示しないスピーカから音声を出力させて視聴する。また、提供情報が映像データのみからなる場合には、その映像データを表示部８１０に表示する。また、提供情報が音声データのみからなる場合には、その音声データをスピーカから出力させる。このようにして利用者は提供情報を楽しむことができる。
【００５５】
なお、図１に示した実施の形態においては、アクセス情報ＤＢ１１１をホストコンピュータ１００の記憶装置１１０に構築するようにしたが、レジスター２００の記憶部２１３に構築するようにしてもよい。その場合、レジスター２００は、商品に印刷されたバーコードによって表されたバーコード情報に対応するアクセス情報を記憶部２１３のアクセス情報ＤＢ１１１から読み出して商品のＩＣタグ４００に記録する。
【００５６】
また、図７および図９に示した各実施の形態において、暗証番号ＤＢ１１３をレジスター２００の記憶部２１３にそれぞれ構築するようにしてもよい。その場合、レジスター２００は、商品に印刷されたバーコードによって表されたバーコード情報に対応する暗証番号を暗証番号ＤＢ１１３より読み出し、その暗証番号を用いて商品のＩＣタグ４００に予め記録されているアクセス情報に対するプロテクトを解除する。
【００５７】
また、図１に示した実施の形態においては、利用者端末３００をユーザが所持する携帯電話機等の携帯端末とすることができるが、図９に示した実施の形態のように、店内に店内端末７００を設置し、店内端末７００が商品のＩＣタグ４００から読み出したアクセス情報に基づいてインターネット６００を介してホストコンピュータ１００にアクセスして提供情報を取得し、その提供情報を商品のＩＣタグ４００に記録するようにすることもできる。その場合、ユーザは、商品のＩＣタグ４００に記録された提供情報を携帯端末を用いてダウンロードし、利用することができる。
【００５８】
また、上記実施の形態の構成及び動作は例であって、本発明の趣旨を逸脱しない範囲で適宜変更することができることは言うまでもない。
【産業上の利用可能性】
【００５９】
本発明の活用例として、例えば、特定の商品の販売促進のための情報を提供する場合のみならず、様々な情報を利用者に提供する際にも本発明を適用することができる。
【図面の簡単な説明】
【００６０】
【図１】本発明の情報提供システムの一実施の形態の構成例を示す図である。
【図２】レジスターの構成例を示すブロック図である。
【図３】利用者端末の構成例を示すブロック図である。
【図４】アクセス情報データベース（ＤＢ）の構成例を示す図である。
【図５】ホストコンピュータの処理手順を説明するためのフローチャートである。
【図６】レジスターの処理手順を説明するためのフローチャートである。
【図７】本発明の情報提供システムの他の実施の形態の構成例を示す図である。
【図８】ＩＣタグの処理手順を説明するためのフローチャートである。
【図９】本発明の情報提供システムのさらに他の実施の形態の構成例を示す図である。
【符号の説明】
【００６１】
１００  ホストコンピュータ
１１０  記憶装置
１１１  アクセス情報ＤＢ
１１２  提供情報ＤＢ
１１３  暗証番号ＤＢ
２００  レジスター
２１０，３１０  制御部
２１１  入力部
２１２，３１２，８１０  表示部
２１３，３１３  記憶部
２１４  バーコード読取部
２１５，３１４  ＲＦＩＤリードライト部
２１６，３１５  通信制御部
２１７  印字部
３００  利用者端末
３１１  操作部  
４００  ＩＣタグ
５００  バーコード
６００  インターネット
７００  店内端末
８００  携帯電話機
【図１】
2006285550.tif 000003
【図２】
2006285550.tif 000004
【図３】
2006285550.tif 000005
【図４】
2006285550.tif 000006
【図５】
2006285550.tif 000007
【図６】
2006285550.tif 000008
【図７】
2006285550.tif 000009
【図８】
2006285550.tif 000010
【図９】
2006285550.tif 000011